(57)【要約】  【課題】  レンズホルダにフォーカシングコイル及び磁性板を精度よく配置し、光ヘッドの中立位置を安定させ、フォーカシング動作を精度よく且つ安定して行うことができるトラッキング方向のガタを抑え、光ヘッドの中立位置を安定させ、シフト感度特性を左右均等にすることができ、トラッキング動作を精度よく且つ安定して行う。  【解決手段】  アクチュエータ２は、レンズホルダ２１と、ケース２２と、トラッキングコイル２１３及びフォーカシングコイル２１４に電力を供給する配線基板２３と、レンズホルダ２１と連結し、フォーカシングコイル２１４の位置決めをするコイル位置決め部３１と、磁性板４の位置決めをする磁性板位置決め部３２とを有する位置決めリブ３と、回転防止リブ４１と、円筒部２１２及び磁性板位置決め部３２が貫通する貫通孔４２とを有する磁性板４とを有している。【選択図】      図５
2007058894.tif 000002
【特許請求の範囲】
【請求項１】
底部と、前記底部の端部より該底部に対して垂直に突出する立ち上がり部と、前記底部
の略中央に前記立ち上がり部と同じ方向に突出する円柱状のシャフトと、前記立ち上がり
部に前記シャフトを挟んで配置され前記シャフトとの間に磁界を形成する永久磁石とを有
するケースと、
本体部と、前記本体部の端部に配置され対物レンズを保持するレンズ保持部と、前記本
体部の略中央より突出し前記シャフトに回動可能且つ摺動可能に外嵌する円筒形状の軸孔
を備える円筒部と、前記本体部と前記円筒部に連結する４個の位置決めリブと、前記位置
決めリブにて位置決めされる略八角形状の磁性板と、前記位置決めリブに外嵌するフォー
カシングコイルと、前記本体の側部に取付固定されるトラッキングコイルとを有するレン
ズホルダと、
前記ケース及び前記レンズホルダに取り付けられ、前記フォーカシングコイル及び前記
トラッキングコイルに電力を供給する配線基板とを有しており、
前記位置決めリブは前記円筒部に沿って長さが変わる段差を有し、前記レンズホルダの
本体部に近いほうにフォーカシングコイルの四隅を押さえるコイル位置決め部と、該本体
部より遠い位置に磁性板を位置決めする磁性板位置決め部とを有しており、
前記磁性板は略八角形状の本体部と、前記本体部の一辺より平面方向に延び、前記レン
ズホルダに形成されている溝部に嵌合する矩形状の回転防止リブと、前記磁性板位置決め
部及び前記円筒部が貫通する略矩形状の貫通孔とを有しており、
前記位置決め部の前記段差と前記溝部の底面とは同一平面上に形成され、前記本体部と
平行な平面を形成しており、前記磁性板を該段差と当接し接着することを特徴とする光ヘ
ッド。
【請求項２】
本体部と、前記本体部の端部に配置され対物レンズを保持するレンズ保持部と、前記本
体部の略中央より突出し前記シャフトに回動可能且つ摺動可能に外嵌する円筒形状の軸孔
を備える円筒部と、前記本体部と前記円筒部に連結する複数の位置決めリブと、前記位置
決めリブにて位置決めされる磁性板と、前記位置決めリブに外嵌するフォーカシングコイ
ルとを有するレンズホルダと、
前記位置決めリブはフォーカシングコイルの四隅を押さえるコイル位置決め部と、前記
フォーカシングコイルの内部空間に配置され、磁性板を位置決めする磁性板位置決め部と
を有しており、
前記磁性板は本体部と、前記本体部の一部平面方向に延び、前記レンズホルダに形成さ
れている溝部に嵌合する回転防止リブと、前記磁性板位置決め部及び前記円筒部が貫通す
る略矩形状の貫通孔とを有しており、
前記複数のコイル位置決め部の本体部と連結しているのと反対側の面は同一平面上に形
成され、前記磁性板を該段差と当接し接着することを特徴とする光ヘッド。
【請求項３】
前記コイル位置決め部の本体部と連結しているのと反対側の面と前記溝部の底面は同一
平面上に形成されることを特徴とする請求項２に記載の光ヘッド。
【請求項４】
前記位置決めリブは、底面から見て前記コイル位置決め部と前記磁性板位置決め部とが
互いにずれて配置されていることを特徴とする請求項２又は請求項３に記載の光ヘッド。
【請求項５】
前記位置決めリブは、前記コイル位置決め部と前記磁性板位置決め部は異なる個数備え
られていることを特徴とする請求項２、請求項３又は請求項４に記載の光ヘッド。
【発明の詳細な説明】
【技術分野】
【０００１】
本発明は、光ディスクにレーザ光を照射することでデータの記録及び（又は）読出しを
行うことができる光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図１は光ヘッドの配置図である。図１に示す光ヘッドはそれには限定されないがここで
は、光ディスクに記録されているデータを読出す読出し専用の光ヘッドである。図１に示
すようにレーザ光源Ｌｄと、ミラーＭｒと、コリメータレンズＬｃと、対物レンズＬｂと
、ビームスプリッタＢｓと、受光素子Ｐｄとを有している。レーザ光源Ｌｄより照射され
たレーザ光はミラーＭｒで反射されてコリメータレンズＬｃに入射する。コリメータレン
ズＬｃに入射したレーザ光は平行光として出射され対物レンズＬｂに入射する。対物レン
ズＬｂに入射したレーザ光は光ディスクＤｓの記録面に照射される。対物レンズＬｂはア
クチュエータ９２に配置されている。
【０００４】
ビームスプリッタＢｓは入射されたレーザ光の半分を透過し半分を反射するプリズムで
あり、光ディスクＤｓで反射した光を受光素子Ｐｄに導くものである。受光素子Ｐｄは光
を電流に変換するものであり、光の強さによってデータを読み取るものである。光ディス
クにデータを記録することのできる光ヘッドも基本的に同様の構成である。
【０００５】
光ヘッドは対物レンズＬｂを光ディスクＤｓの面ぶれ量にあわせて、光スポットの焦点
が光ディスクＤｓの記録面に合うように光ディスクＤｓの記録面に対して垂直なフォーカ
ス方向に移動（フォーカシング）させたり、光ディスクＤｓの光スポットが記録面のトラ
ックに正確に照射されるように半径方向であるトラッキング方向に必要に応じて移動（ト
ラッキング）させたりする。
【０００６】
図７は従来の光ヘッドのアクチュエータの一例の平面図である。図７に示すアクチュエ
ータ９２は、対物レンズＬｂと対物レンズＬｂを保持するレンズホルダ９３と、レンズホ
ルダ９３を支持するケース９４と、電力を供給する基板９５とを有している。
【０００７】
図８は図７に示すレンズホルダの底面図である。レンズホルダ９３は、本体部９３０と
、対物レンズＬｂを保持するレンズ保持部９３１と、ケース９４に設けられた後述のシャ
フト９４３と摺動及び回動可能に外嵌する円筒部９３２と、円筒部９３２の外壁にはレン
ズホルダ９３の本体から伸びる複数個（ここでは４個）の円筒部９３２を支持するための
リブ９３３と、レンズホルダ９３にはレンズホルダ９３をシャフト９４３を中心に揺動さ
せるためのトラッキングコイル９３４と、レンズホルダ９３をシャフト９４３に沿って摺
動させるためのフォーカシングコイル９３５と、中央部を軸孔９３２が貫通する磁性板９
３６が取り付けられる。
【０００８】
フォーカシングコイル９３５は軸孔９３２の周囲を取り囲むように配置されるものであ
り、リブ９３３の先端が四隅になるように矩形状に巻きつけられている。また、磁性板９
３６はフォーカシングコイル９３５に接するように配置固定される。
【０００９】
ケース９４は平面視矩形状の底面９４１と、底面９４１の４辺から立ち上がる立ち上が
り壁９４２と、底面９４１からケース９４の内部に向かって突出するシャフト９４３と、
シャフト９４３を挟んで立ち上がり壁９４２に正対して配置される永久磁石９４４とを有
している。シャフト９４３は磁性体で形成されている。永久磁石９４４とシャフト９４３
の間には磁界が発生している。
【００１０】
ケース９４のシャフト９４３がレンズホルダ９３の円筒部９３２を回動可能及び摺動可
能に嵌合するようにケース９４内部に配置する。このとき、永久磁石９４４とシャフト９
４３の間に発生する磁界内にレンズホルダ９３の磁性板９３６が配置される。磁性板９３
６が磁界内に配置されることで、磁性板９３６に磁気力が付与する。レンズホルダ９３は
磁性板９３６に付与する磁気力によってケース９４の底面９４１に接触せずに支持される
。
【００１１】
また、永久磁石９４４とシャフト９４３の間の磁界にトラッキングコイル９３４及びフ
ォーカシングコイル９３５が配置されている。トラッキングコイル９３４に電流を流すこ
とで、トラッキングコイル９３４にローレンツ力が発生する。このローレンツ力によって
、レンズホルダ９３はシャフト９４３を中心に揺動される。また、フォーカシングコイル
９３５に電流を流すことで、フォーカシングコイル９３５にローレンツ力が発生する。こ
のローレンツ力によって、レンズホルダ９３はシャフト９４３の軸方向に摺動する。
【特許文献１】特開２００５−９２９９８号公報
【発明の開示】
【発明が解決しようとする課題】
【００１２】
磁性板９３６はフォーカシングコイル９３５と当接して配置されるので、フォーカシン
グコイル９３５の厚さによって、レンズホルダ９３の本体からの距離を調整している。し
かしながら、フォーカシングコイル９３５の巻きつけの精度が悪く、厚さのばらつきがあ
ると、磁性板９３６が円筒部９３２に対して直交して配置することができない。すなわち
、磁性板９３６がレンズホルダ９３の本体と平行にならない場合がある。
【００１３】
レンズホルダ９３は永久磁石９４４にて形成される磁界内に磁性板９３６を配置するこ
とで、浮遊した状態で保持されているので、磁性板９３６が傾いて取り付けられていると
、レンズホルダ９３は傾いた状態で静止してしまい、レンズホルダ９３の中立位置の精度
が低下し、レーザ光の照射位置がずれてしまう。また、レンズホルダ９３への側圧が不安
定になり、フォーカシング動作が不安定になる。また、トラッキング方向にもガタが発生
しやすく、シフト感度特性が左右不均一になりやすく、トラッキング精度が低下しやすい
。
【００１４】
そこで本発明は、レンズホルダにフォーカシングコイル及び磁性板を精度よく配置し、
光ヘッドの中立位置を安定させ、フォーカシング動作を精度よく且つ安定して行うことが
できる光ヘッドを提供することを目的とする。
【００１５】
また本発明は、レンズホルダにフォーカシングコイル及び磁性板を精度よく配置し、ト
ラッキング方向のガタを抑え、光ヘッドの中立位置を安定させ、シフト感度特性を左右均
等にすることができ、トラッキング動作を精度よく且つ安定して行うことができる光ヘッ
ドを提供することを目的とする。
【課題を解決するための手段】
【００１６】
上記目的を達成するために本発明は、底部と、前記底部の端部より該底部に対して垂直
に突出する立ち上がり部と、前記底部の略中央に前記立ち上がり部と同じ方向に突出する
円柱状のシャフトと、前記立ち上がり部に前記シャフトを挟んで配置され前記シャフトと
の間に磁界を形成する永久磁石とを有するケースと、本体部と、前記本体部の端部に配置
され対物レンズを保持するレンズ保持部と、前記本体部の略中央より突出し前記シャフト
に回動可能且つ摺動可能に外嵌する円筒形状の軸孔を備える円筒部と、前記本体部と前記
円筒部に連結する４個の位置決めリブと、前記位置決めリブにて位置決めされる略八角形
状の磁性板と、前記位置決めリブに外嵌するフォーカシングコイルと、前記本体の側部に
トラッキングコイルとを有するレンズホルダと、前記ケース及び前記レンズホルダに取り
付けられ、前記フォーカシングコイルに電力を供給する配線基板とを有しており、前記位
置決めリブは前記円筒部に沿って長さが変わる段差を有し、前記レンズホルダの本体部に
近いほうにフォーカシングコイルの四隅を押さえるコイル位置決め部と、該本体部より遠
い位置に磁性板を位置決めする磁性板位置決め部とを有しており、前記磁性板は略八角形
状の本体部と、前記本体部の一辺より平面方向に延び、前記レンズホルダに形成されてい
る溝部に嵌合する矩形状の回転防止リブと、前記磁性板位置決め部及び前記円筒部が貫通
する略矩形状の貫通孔とを有しており、前記位置決め部の前記段差と前記溝部の底面とは
同一平面上に形成され、前記本体部と平行な平面を形成しており、前記磁性板を該段差と
当接し接着することを特徴とする光ヘッドを提供する。
【００１７】
この構成によると、前記磁性板の前記レンズホルダに対する設置位置を、所定の適正位
置又は公差内の範囲に配置することで、前記レンズホルダのフォーカシング方向及びトラ
ッキング方向の取付精度を上げることができる。これにより、フォーカシング動作時の前
記レンズホルダのがたつきを抑制する側圧を適切にかけることができ、摺動性能を向上さ
せることができる。
【００１８】
またこの構成によると、トラッキング方向のがたつきを押さえ、トラッキング方向の中
立位置を安定させることができる。これにより、シフト感度特性を左右均等にすることが
でき、それだけ、トラッキング動作の精度を向上させることができる。
【００１９】
フォーカシング動作及びトラッキング動作が円滑に精度よく行われることで、光ディス
クの記録面に結像されるレーザスポットのトラック追従性が高くなり、それだけ、光ディ
スクへのデータの記録又は光ディスクからのデータの読出しを高精度に実行することが可
能である。
【００２０】
上記目的を達成するために本発明は、本体部と、前記本体部の端部に配置され対物レン
ズを保持するレンズ保持部と、前記本体部の略中央より突出し前記シャフトに回動可能且
つ摺動可能に外嵌する円筒形状の軸孔を備える円筒部と、前記本体部と前記円筒部に連結
する複数の位置決めリブと、前記位置決めリブにて位置決めされる磁性板と、前記位置決
めリブに外嵌するフォーカシングコイルと、前記本体の側部にトラッキングコイルとを有
するレンズホルダと、前記位置決めリブはフォーカシングコイルの四隅を押さえるコイル
位置決め部と、前記フォーカシングコイルの内部空間に配置され、磁性板を位置決めする
磁性板位置決め部とを有しており、前記磁性板は本体部と、前記本体部の一部平面方向に
延び、前記レンズホルダに形成されている溝部に嵌合する回転防止リブと、前記磁性板位
置決め部及び前記円筒部が貫通する略矩形状の貫通孔とを有しており、前記複数のコイル
位置決め部の本体部と連結しているのと反対側の面は同一平面上に形成され、前記磁性板
を該段差と当接し接着することを特徴とする光ヘッドを提供する。
【００２１】
この構成によると、前記磁性板の前記レンズホルダに対する設置位置を、所定の適正位
置又は公差内の範囲に配置することで、前記レンズホルダのフォーカシング方向及びトラ
ッキング方向の取付精度を上げることができる。これにより、フォーカシング動作時の前
記レンズホルダのがたつきを抑制する側圧を適切にかけることができ、摺動性能を向上さ
せることができる。
【００２２】
またこの構成によると、トラッキング方向のがたつきを押さえ、トラッキング方向の中
立位置を安定させることができる。これにより、シフト感度特性を左右均等にすることが
でき、それだけ、トラッキング動作の精度を向上させることができる。
【００２３】
フォーカシング動作及びトラッキング動作が円滑に精度よく行われることで、光ディス
クの記録面に結像されるレーザスポットのトラック追従性が高くなり、それだけ、光ディ
スクへのデータの記録又は光ディスクからのデータの読出しを高精度に実行することが可
能である。
【００２４】
上記構成において、前記コイル位置決め部の本体部と連結しているのと反対側の面と前
記溝部の底面は同一平面上に形成されていてもよい。
【００２５】
上記構成において前記位置決めリブは、底面から見て前記コイル位置決め部と前記磁性
板位置決め部とが互いにずれて配置されているものであってもよい。
【００２６】
上記構成において前記位置決めリブは、前記コイル位置決め部と前記磁性板位置決め部
とが異なる個数備えられているものであってもよい。
【発明の効果】
【００２７】
本発明によると、レンズホルダにフォーカシングコイル及び磁性板を精度よく配置し、
光ヘッドの中立位置を安定させ、フォーカシング動作を精度よく且つ安定して行うことが
できる光ヘッドを提供することができる。
【００２８】
また本発明によると、レンズホルダにフォーカシングコイル及び磁性板を精度よく配置
し、トラッキング方向のガタを抑え、光ヘッドの中立位置を安定させ、シフト感度特性を
左右均等にすることができ、トラッキング動作を精度よく且つ安定して行うことができる
光ヘッドを提供することができる。
【発明を実施するための最良の形態】
【００２９】
以下に本発明の実施形態を図面を参照して説明する。図１は光ヘッドの一例の配置図で
ある。図１に示す光ヘッドＡは、従来と実質上同一の構造を有している。すなわち、レー
ザ光源Ｌｄと、ミラーＭｒと、コリメータレンズＬｃと、対物レンズＬｂと、ビームスプ
リッタＢｓと、受光素子Ｐｄとを有している。レーザ光源Ｌｄより照射されたレーザ光は
ミラーＭｒで反射され、コリメータレンズＬｃに入射し、平行光に変化してコリメータレ
ンズＬｃより出射する。コリメータレンズＬｃより出射したレーザ光は対物レンズＬｂに
入射し対物レンズＬｂより光ディスクＤｓに照射される。
【００３０】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。上述の各部材へのレーザ光の照射順序は
これに限定されるものではなく、可能な範囲で順序が入れ替わっているものであっても良
い。
【００３１】
図２は本発明に係る光ヘッドの平面図であり、図３は図２に示す光ヘッドの側断面図で
ある。図２、図３に示すように光ヘッドＡはコリメータレンズＬｃを支持するベース１と
、対物レンズＬｂを駆動するためのアクチュエータ２とを備えている。ベース１の側面に
は光ヘッドＡのディスクトラック方向（ディスク半径方向）への動作を規制するための軸
１０が摺動可能に貫通する摺動孔１１と、摺動孔１１に隣接して形成されるラックギア１
２と、ラックギア１２と歯合するピニオンギア１３とを備えている。光ヘッドＡはピニオ
ンギア１３の回動をラックギア１２に伝達することで、摺動するものである。光ヘッドＡ
を摺動することで、光ディスクＤｓの記録面上の必要な情報が記録されている部分にレー
ザスポットを速やかに照射するものである。
【００３２】
アクチュエータ２はベース１にボルトにて固定される。アクチュエータ２は、対物レン
ズＬｂを保持するためのレンズホルダ２１と、内部にレンズホルダ２１を配置するケース
２２と、レンズホルダ２１に設けられた後述するトラッキングコイル２１３及びフォーカ
シングコイル２１４にそれぞれ独立して電力を供給する配線基板２３とを有している。
【００３３】
図４は図２に示す光ヘッドに用いられるレンズホルダの側面図であり、図５は図４に示
すレンズホルダの底面図であり、図６は図４に示すレンズホルダのフォーカシングコイル
が取り付けられていない状態の側面図である。図４に示すレンズホルダ２１は、本体部２
１０と、対物レンズＬｂを保持するためのレンズ保持部２１１と、レンズ保持部２１１の
略中央に形成されシャフト２２３と摺動可能且つ回動可能に外嵌する円筒部２１２と、本
体部２１０の側面に円筒部２１２を挟んで対面して配置されるトラッキングコイル２１３
と、円筒部２１２を取り囲むように配置されるフォーカシングコイル２１４とフォーカシ
ングコイル２１４の下面に配置される磁性板４とを有している。
【００３４】
ケース２２は平面視矩形状を有しており、底部２２１と、底部２２１の周囲から底部２
２１と垂直に立ち上がる立ち上がり部２２２と、底部２２１の略中央部に立ち上がり部２
２２と同じ方向に突出する円筒形状のシャフト２２３と、立ち上がり部２２２に配置され
、シャフト２２３を挟んで対向して配置される２個の永久磁石２２４とを有している。シ
ャフト２２３は磁性体で形成されており、永久磁石２２４とシャフト２２３の間には磁界
が形成されている。永久磁石２２４の磁界はそれには限定されないが、いずれの磁界も磁
力線の向きが永久磁石２２４からシャフト２２３に向かっている。底部２２１にはレーザ
光が通過するための貫通した光通過孔２２０が形成されている。
【００３５】
レンズホルダ２１には、円筒部２１２に連結して配置され、フォーカシングコイル２１
４及び後述の磁性板４の位置決めをする位置決めリブ３が備えられている。
【００３６】
トラッキングコイル２１３及びフォーカシングコイル２１４には配線基板２３より電力
が供給される。配線基板２３はケース２２に取り付けられるメイン基板２３１と、レンズ
ホルダ２１に取り付けられるサブ基板２３２と、メイン基板２３１とサブ基板２３２を接
続するための接続基板２３３とを有している。配線基板２３（少なくとも接続基板２３３
）はレンズホルダ２１のトラッキング動作及びフォーカシング動作によって破損しないよ
うな柔軟性を有するもの、例えばＦＦＣ（Flexible Flat Cable）、ＦＰＣ（Flexible Pr
inted Circuit）等のケーブルが採用されている。
【００３７】
円筒部２１２はシャフト２２３を外嵌するように配置される。このとき、ケース２２の
永久磁石２２４とシャフト２２３の間には磁界が発生しており、その磁界に磁性板４が配
置されることで磁性板４に磁気力が付与する。この磁気力によってレンズホルダ２１は底
部２２１と接触することなく浮上した状態で支持される。
【００３８】
トラッキングコイル２１３の導線に電流が流されることで、磁界内に配置された導線に
磁束方向及び電流の流れる方向の両方に直交する方向、すなわち、円筒部２１２の周方向
にローレンツ力が発生する。円筒部２１２を挟んで配置されたトラッキングコイル２１３
で電流の流れ方向を調整し、ローレンツ力の方向を調整することで、レンズホルダ２１を
シャフト２２３を中心に回転させることができる。すなわち、電流の流れ方向を適当に変
化させることで対物レンズＬｂをシャフト２２３を中心に揺動させることができる。この
揺動によって、対物レンズＬｂの焦点位置を光ディスクＤｓの記録面にそって動かし正し
い位置にレーザスポットを照射するトラッキング動作を行うことができる。
【００３９】
フォーカシングコイル２１４も同様に磁界内に配置された導線に電流が流されることで
、導線に磁束方向及び電流の流れる方向の両方に直交する方向、すなわち、円筒部２１２
の軸方向にローレンツ力が発生する。ローレンツ力によってレンズホルダ２１はシャフト
２２３の軸方向に摺動する。電流の向きを適当に変化させることで、レンズホルダ２１を
シャフト２２３の軸方向に往復摺動させることができ、光ディスクＤｓの記録面に焦点を
合わせるためのフォーカシング動作を行うことができる。
【００４０】
図５に示すようにトラッキングコイル２１３は導線が矩形状にまかれたコイルであり、
レンズホルダ２１の側面に円筒部２１２の中心軸と平行な方向に延びる導線がシャフト２
２３と永久磁石２２４の間に発生する磁界内に入るように形成されている。また、フォー
カシングコイル２１４は導線が矩形状に巻かれたコイルであり導線の側面が磁界内に入る
ように且つ円筒部２１２の中心軸を取り囲むように配置されている。
【００４１】
図５に示すように、位置決めリブ３は円筒部２１２及びレンズホルダ２１の本体２１０
と連結しており、フォーカシングコイル２１４の位置決めをするコイル位置決め部３１と
、磁性板４の位置決めをする磁性板位置決め部３２とを有している。コイル位置決め部３
１はフォーカシングコイルの矩形状の角部を押さえるように、円筒部２１２からの長さが
長く形成されている。コイル位置決め部３１はレンズホルダ２１の本体２１０と連結して
いる。
【００４２】
磁性板位置決め部３２は円筒部２１２からの長さが短く、コイル位置決め部３１と一体
に形成されている。磁性板位置決め部３２はコイル位置決め部３１の本体２１０の反対側
に連結している。
【００４３】
磁性板４はそれには限定されないがここでは略八角形状に形成されており、磁性板４が
回転するのを抑制するための回転防止リブ４１と、円筒部２１２及び磁性板位置決め部３
２が貫通する貫通孔４２とを有している。回転防止リブ４１はレンズホルダ２１に形成さ
れた嵌合用の凹溝２１５に嵌合する。凹溝２１５に回転防止リブ４１を嵌合することで、
磁性板４の回転を防止することができる。永久磁石２２４が形成する磁界から磁性板４に
作用する磁気力がかかるときに、レンズホルダ２１のトラッキング方向（円筒部２１２を
中心とする回転方向）にずれて取り付けられることを防止することができる。
【００４４】
磁性板４の貫通孔４２は略矩形状であり、その四隅に磁性板位置決め部３２が当接する
ように形成されている。また、コイル位置決め部３１の磁性板位置決め部３２との接続部
の段部３１１に、磁性板４を当接させる。磁性板４が３１１と当接することで、磁性板４
のレンズホルダ２１の本体２１０に対する距離、角度を一定に保つことができ、磁性板４
をレンズホルダ２１に精度よく配置することができる。この状態で、所定の場所を接着す
ることで、磁性板４を接着剤で固定することができる。
【００４５】
このように磁性板４をレンズホルダ２１のフォーカス方向（円筒部２１２の軸方向）及
びトラッキング方向（円筒部２１２の軸回り方向）のガタ及び取付精度を挙げることがで
き、それだけ、フォーカシング動作時のレンズホルダ２１のガタを抑制する側圧を適切に
かけることができる。また、側圧を適切にかけることで、フォーカシング時に円滑且つ安
定して摺動動作を行うことができる。
【００４６】
また、トラッキング方向のガタを抑えることができ、トラッキング方向に対する中立位
置を安定させることができ、それだけ、シフト感度特性を左右均等になるようにすること
ができ、トラッキング動作を円滑且つ安定して行うことができる。
【００４７】
上記実施例において位置決めリブ３はフォーカシングコイル２１４に位置決めをするコ
イル位置決め部３１と磁性板４の位置決めを行う磁性板位置決め部３２とは、４本づつ備
えられているものを挙げているがそれに限定されるものではなく、フォーカシングコイル
２１４及び磁性板４を所定の配置場所に精度よく位置決めすることができるものであれば
、それ以上又はそれ以下の本数であっても良い。
【００４８】
また、フォーカシングコイル２１４の位置決めをするコイル位置決め部３１と磁性板４
の位置決めを行う磁性板位置決め部３２とは、円筒部２１２の軸方向に並んで連結してい
るものを例に説明しているが、それに限定されるものではなく、コイル位置決め部と磁性
板位置決め部が独立して形成されているものであってもよい。
【００４９】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【産業上の利用可能性】
【００５０】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５１】
【図１】光ヘッドの配置図である。
【図２】本発明に係る光ヘッドの平面図である。
【図３】図２に示す光ヘッドの側面図である。
【図４】図２に示す光ヘッドに用いられるレンズホルダの側面図である。
【図５】図４に示すレンズホルダの底面図である。
【図６】図４に示すレンズホルダのフォーカシングコイルが取り付けられていない状態の側面図である。
【図７】従来の光ヘッドのアクチュエータの一例の平面図である。
【図８】図７に示すレンズホルダの底面図である。
【符号の説明】
【００５２】
Ｄｓ  光ディスク
Ｍｒ  ミラー
Ｂｓ  ビームスプリッタ
Ｌｄ  レーザ光源
Ｐｄ  受光部
Ｌｃ  コリメータレンズ
Ｌｂ  対物レンズ
１  ベース
２  アクチュエータ
２１  レンズホルダ
２１１  本体部
２１２  レンズ保持部
２１３  トラッキングコイル
２１４  フォーカシングコイル
２１５  凹溝
２２  ケース
２２１  底部
２２２  立ち上がり部
２２３  シャフト
２２４  永久磁石
２３  配線基板
２３１  メイン基板
２３２  サブ基板
２３３  接続基板
３  位置決めリブ
３１  コイル位置決め部
３２  磁性板位置決め部
４  磁性板
４１  連結部
４２  貫通孔
【図１】
2007058894.tif 000003
【図２】
2007058894.tif 000004
【図３】
2007058894.tif 000005
【図４】
2007058894.tif 000006
【図５】
2007058894.tif 000007
【図６】
2007058894.tif 000008
【図７】
2007058894.tif 000009
【図８】
2007058894.tif 000010